【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
組織を修復させるための再狭窄防止器具であって、
第１の面及び第２の面を有する構造体と、
前記第１の面上に配置され、その上のある種類の細胞の成長を促進する生体活性層と、
前記第２の面上に配置され、その上の別の種類の細胞の成長を抑制する再狭窄防止層と、
を具えることを特徴とする器具。
【請求項２】
前記再狭窄防止層が、タキソール（ｔａｘｏｌ）、薬剤活性のタキソール誘導体、ラパマイシン（ｒａｐａｍｙｃｉｎ）、薬剤活性のラパマイシン誘導体、及びこれらの組み合わせから成る群から選択される再狭窄防止剤を有することを特徴とする請求項１に記載の器具。
【請求項３】
前記生体活性層が、官能基の被覆層を具えることを特徴とする請求項１又は２に記載の器具。
【請求項４】
さらに、前記生体活性層が、ペプチドコーティングを具えることを特徴とする請求項３に記載の器具。
【請求項５】
前記構造体が、管状のスリーブを具えることを特徴とする請求項１から４のいずれか１項に記載の器具。
【請求項６】
前記第１の面が、前記スリーブの内面に配置されており、
前記第２の面が、前記スリーブの外面に配置されていることを特徴とする請求項５に記載の器具。
【請求項７】
さらに、前記構造体が、少なくとも部分的に前記スリーブの中に配置可能な拡張可能な支持フレームを具えることを特徴とする請求項５に記載の器具。
【請求項８】
さらに、前記構造体が、前記支持フレームに前記スリーブを固定するよう構成された少なくとも１の固定リングを具えることを特徴とする請求項７に記載の器具。
【請求項９】
前記第２の面が、少なくとも１の固定リングの少なくとも１の面に配置されていることを特徴とする請求項８に記載の器具。
【請求項１０】
前記第１の面が、前記スリーブの内面に配置されていることを特徴とする請求項９に記載の器具。
【請求項１１】
前記再狭窄防止層が、コーティングによって前記第２の面に設けられていることを特徴とする請求項１から１０のいずれか１項に記載の器具。
【請求項１２】
前記再狭窄防止層が、前記構造体の少なくとも一部にわたって置くことのできるジャケットを具えており、
前記ジャケットが、繊維メッシュ、格子模様、編み地（ｗｅａｖｅ）、開口を有するチューブ、巻き付けたらせん構造又はこれらの任意の組み合わせを具えることを特徴とする請求項１から１１のいずれか１項に記載の器具。
【請求項１３】
前記ジャケットが、前記再狭窄防止剤を有する骨格を具えており、
前記骨格が、ポリマー、金属、ワイヤ、リボン、糸、縫合糸、繊維、又はこれらの組み合わせを具えることを特徴とする請求項１２に記載の器具。
【請求項１４】
前記再狭窄防止層の少なくとも一部が生体分解性であることを特徴とする請求項１から１３のいずれか１項に記載の器具。
【請求項１５】
前記構造体がパッチを具えることを特徴とする請求項１から１４のいずれか１項に記載の器具。
【請求項１６】
平滑筋細胞を有する血管の開通性を保持し易くするための拡張可能な複合器具であって、
前記器具が、内面及び外面を有するスリーブと、
前記スリーブの中に少なくとも部分的に設置可能な拡張可能な管状の支持フレームであって、前記フレームが、血管壁に前記スリーブの前記外面の少なくとも一部を合わせるように、前記血管の中で拡張できる支持フレームと、
前記スリーブの前記外面に設けられた再狭窄防止層であって、前記外面の少なくとも一部が前記血管壁に合わせるように配置された場合に、平滑筋細胞の成長を抑制する再狭窄防止層と、
を具えることを特徴とする器具。
【請求項１７】
前記再狭窄防止層が、タキソール（ｔａｘｏｌ）、薬剤活性のタキソール誘導体、ラパマイシン（ｒａｐａｍｙｃｉｎ）、薬剤活性のラパマイシン誘導体、及びこれらの組み合わせから成る群から選択される再狭窄防止剤を有することを特徴とする請求項１６に記載の器具。
【請求項１８】
さらに、前記構造体が、前記支持フレームに前記スリーブを固定するよう構成された少なくとも１の固定リングを具えることを特徴とする請求項１６又は１７に記載の器具。
【請求項１９】
また、前記再狭窄防止層が、前記少なくとも１の固定リングの少なくとも１の面に配置されていることを特徴とする請求項１８に記載の器具。
【請求項２０】
さらに、前記スリーブの前記内面に設けられた生体活性層を具えており、
前記生体活性層が、その上の内皮細胞の成長を促進することを特徴とする請求項１６から１９のいずれか１項に記載の器具。
【請求項２１】
さらに、前記支持フレームに前記スリーブを固定するよう構成された少なくとも１の固定リングであって、前記フレームが、前記血管壁に前記少なくとも１の固定リングの少なくとも１の面を合わせるように、前記血管の中で拡張できる固定リングを具えることを特徴とする請求項１６に記載の器具。
【請求項２２】
前記再狭窄防止層が、タキソール（ｔａｘｏｌ）、薬剤活性のタキソール誘導体、ラパマイシン（ｒａｐａｍｙｃｉｎ）、薬剤活性のラパマイシン誘導体、及びこれらの組み合わせから成る群から選択される再狭窄防止剤を有することを特徴とする請求項２１に記載の器具。
【請求項２３】
前記再狭窄防止層が、コーティングによって前記少なくとも１の固定リングの少なくとも１の面に設けられていることを特徴とする請求項２１又は２２に記載の器具。
【請求項２４】
前記再狭窄防止層が、再狭窄防止剤及びキャリアを具えており、
前記再狭窄防止剤が、前記再狭窄防止層の５から３０％を具えることを特徴とする請求項２３に記載の器具。
【請求項２５】
前記再狭窄防止層が、再狭窄防止剤及びキャリアを具えており、
前記キャリアが、生体分解性であることを特徴とする請求項２３に記載の器具。
【請求項２６】
前記再狭窄防止層が、前記スリーブの少なくとも一部にわたって置くことのできるジャケットを具えており、
前記ジャケットが、繊維メッシュ、格子模様、編み地（ｗｅａｖｅ）、開口を有するチューブ、巻き付けたらせん構造又はこれらの任意の組み合わせを具えることを特徴とする請求項２１から２５のいずれか１項に記載の器具。
【請求項２７】
前記ジャケットが、前記再狭窄防止剤を有する骨格を具えており、
前記骨格が、ポリマー、金属、ワイヤ、リボン、糸、縫合糸、繊維、又はこれらの組み合わせを具えることを特徴とする請求項２６に記載の器具。
【請求項２８】
さらに、前記スリーブの内面に設けられた生体活性層を具えており、
前記生体活性層が、その上の内皮細胞の成長を促進することを特徴とする請求項２１から２７のいずれか１項に記載の器具。
【請求項２９】
拡張可能な管状の格子支持構造体と、
当該支持構造体の近くに設けられたグラフトと、
当該グラフト及び前記格子支持構造体から選択される部材の近くに配置された骨格ジャケットと、
を具えることを特徴とするステントグラフト複合体。
【請求項３０】
前記骨格ジャケットが、繊維メッシュ、格子模様、編み地（ｗｅａｖｅ）、ポリマーのらせん構造、金属ワイヤ、リボン、糸、縫合糸、繊維、巻き付けたらせん構造、コイル構造から選択されることを特徴とする請求項２９に記載のステントグラフト複合体。
【請求項３１】
前記骨格ジャケットが、前記骨格から薬剤を溶出し得る薬剤−キャリア組成を具えることを特徴とする請求項２９に記載のステントグラフト複合体。
【請求項３２】
前記骨格ジャケットが、生体分解性材料を具えることを特徴とする請求項２９に記載のステントグラフト複合体。
【請求項３３】
前記グラフトが、前記支持構造体の内側に配置されていることを特徴とする請求項２９に記載のステントグラフト複合体。
【請求項３４】
前記グラフトが、前記支持構造体の外側に配置されていることを特徴とする請求項２９に記載のステントグラフト複合体。
【請求項３５】
前記ジャケットが、前記グラフトの内側に配置されていることを特徴とする請求項２９に記載のステントグラフト複合体。
【請求項３６】
前記ジャケットが、前記グラフトの外側に配置されていることを特徴とする請求項２９に記載のステントグラフト複合体。
【請求項３７】
前記ジャケットが、前記支持構造体の内側に配置されていることを特徴とする請求項２９に記載のステントグラフト複合体。
【請求項３８】
前記ジャケットが、前記支持構造体の外側に配置されていることを特徴とする請求項２９に記載のステントグラフト複合体。
【請求項３９】
前記拡張可能な管状の格子支持構造体が、拡張可能なバルーンであることを特徴とする請求項２９に記載のステントグラフト複合体。
【請求項４０】
さらに、前記グラフトに配置された生体分解性層を具えることを特徴とする請求項２９に記載のステントグラフト複合体。
【請求項４１】
前記生体分解性層が、前記グラフトの内面に配置されていることを特徴とする請求項４０に記載のステントグラフト複合体。
【請求項４２】
前記生体分解性層が、前記グラフトの外面に配置されていることを特徴とする請求項４０に記載のステントグラフト複合体。
【請求項４３】
前記生体分解性層が、前記スリーブの内面において内皮細胞の層の成長を効果的に促進し、正常な血管の内皮細胞のライニングを模倣することを特徴とする請求項４１に記載のステントグラフト複合体。
【請求項４４】
さらに、前記複合体が、不透水層を介した細胞移動を防ぐ不透水層を具えることを特徴とする請求項２９に記載のステントグラフト複合体。
【手続補正２】
【補正対象書類名】明細書
【補正対象項目名】００６０
【補正方法】変更
【補正の内容】
【００６０】
図９Ａ−図９Ｃは、ジャケット５２、スリーブ５６及びステント５４を有する管腔５８内のステントグラフトのバリエーションを表している。
一態様に従って説明した実施例は、説明した構成及び方法の各態様に適用してよいことに留意されたい。さらに、実施例を組み合わせて又は別々に用いてよいことに留意されたい。また、実施例のサブコンビネーションを様々な態様とともに使用してよいことが理解されよう。多くの任意の態様とともに実施例を説明したが、これらの態様は、特に記載しない限り必要としない。
【手続補正３】
【補正対象書類名】明細書
【補正対象項目名】００６２
【補正方法】変更
【補正の内容】
【００６２】
【図１Ａ−Ｂ】図１Ａ−Ｂは、本発明に係る再狭窄防止器具の一実施例を示す。
【図２】図２は、拡張可能な複合器具の一実施例を示す。
【図３】図３は、支持フレームの実施例を示す。
【図４】図４は、スリーブの実施例を示す。
【図５】図５は、１又はそれ以上の固定リングを有する拡張可能な複合器具の実施例を示す。
【図６Ａ−Ｂ】図６Ａは、スリーブの向こう側に延びる支持フレームの一部を有する拡張可能な複合器具を示し、図６Ｂは、図６Ａの器具の一部の断面図を示す。
【図７Ａ−Ｃ】図７Ａ−Ｃは、本発明のジャケットの実施例を示す。
【図８Ａ−Ｂ】図８Ａ−Ｂは、拡張可能なバルーンカテーテルに担持された本発明に係る拡張可能な複合器具の一実施例を示す。
【図９Ａ−Ｃ】図９Ａ−図９Ｃは、ジャケット、スリーブ及びステントの３つの組み合わせ構成を表している。
【手続補正４】
【補正対象書類名】図面
【補正対象項目名】図９
【補正方法】追加
【補正の内容】
【図９】
2009506802.tif 000001